(57)【要約】【課題】省スペース化を実現しながらハンドルの可動域を大きく確保する。【解決手段】水栓装置Ａは、水栓本体１０は、断面形状が略円弧形をなす曲面部２３と、曲面部２３に連なる略平面部２２とを有する。流路切換用ハンドル３３は、曲面部２３と略同心の揺動軸３４を中心として揺動可能である。流路切換用ハンドル３３の操作部４２は、曲面部２３及び略平面部２２と対向可能な対向面４４と、対向面４４のうち曲面部２３側に位置する第１縁部４８に連なり、揺動軸３４から遠ざかるように延出した第１操作面４５と、第１操作面４５と背中合わせとなるように配された第２操作面４６と、第２操作面４６から角度をなして揺動軸３４に近づくように延出し、第２縁部４９に対し角度をなして連なる第３操作面４７とを有する。【選択図】図４
2020026616.tif 000002
【特許請求の範囲】
【請求項１】
断面形状が略円弧形をなす曲面部と、前記曲面部に連なる略平面部とを有する水栓本体と、
前記曲面部と略同心の揺動軸を中心として揺動可能であり、前記曲面部に沿って揺動変位する操作部を有するハンドルとを備え、
前記操作部は、
前記曲面部及び前記略平面部と対向可能な対向面と、
前記対向面における前記揺動軸と略平行な第１縁部と第２縁部のうち前記曲面部側に位置する第１縁部に連なり、前記揺動軸から遠ざかるように延出した形態の第１操作面と、
前記第１操作面と背中合わせとなるように配された第２操作面と、
前記第２操作面から角度をなして前記揺動軸に近づくように延出し、前記第２縁部に対し角度をなして連なる第３操作面とを有していることを特徴とする水栓装置。
【請求項２】
前記ハンドルが、前記操作部の長さ方向両端部において前記水栓本体に支持されていることを特徴とする請求項１記載の水栓装置。
【請求項３】
前記第３操作面と前記第２操作面が鈍角をなして連なっていることを特徴とする請求項１又は請求項２記載の水栓装置。
【発明の詳細な説明】
【技術分野】
【０００１】
本発明は、水栓装置に関する。
【背景技術】
【０００２】
特許文献１には、給水機能を有する水栓本体の右側部に、切換ハンドルを設け、水栓本体の左側部に温度調節ハンドルを設けた水栓装置が開示されている。切換ハンドルを操作すると、給水形態を止水、シャワー及びカランのいずれかに切り換えることができる。温度調節ハンドルを操作すると、給水温度を調節することができる。
【０００３】
この水栓装置は、２つのハンドルを水栓本体の側面部に配置している。そのため、温度調節と給水形態の切換のいずれの操作を行う場合にも、ハンドルを握るためには、手を水栓本体の左右いずれかの側面側へ大きく伸ばす必要があり、操作性が良くない。この問題を解決する手段として、左右方向に細長く延びた形態のハンドルを、水栓本体に左右方向の揺動軸を中心として揺動可能に支持し、揺動軸から偏心させた操作部を、水栓本体の前面と上面に沿って円弧状に揺動変位するようにすれば、手を左右に大きく伸ばす必要がなくなる。
【先行技術文献】
【特許文献】
【０００４】
【特許文献１】特開２０１０−１８９８４２号公報
【発明の概要】
【発明が解決しようとする課題】
【０００５】
上記のようなハンドルにおいて、揺動軸からの操作部の偏心量を大きくすると、操作部の揺動に必要なスペースが大きくなる。省スペース化を図るためには、揺動軸からの操作部の偏心量を小さくし、操作部を水栓本体の外面に接近させた経路で揺動させることが好ましい。ところが、水栓本体は、揺動軸と同軸状のバルブユニットと、バルブユニットから後方へ突出する給水経路とを備えているので、水栓本体の外面のうち揺動軸より手前側の前面領域は揺動軸と同心の円弧形に成形できるが、水栓本体の外面のうち揺動軸より奥側の上面領域は概ね水平な面とせざるを得ない。そのため、操作部を水栓本体の外面に接近させた経路で揺動させようとすると、操作部が揺動軸より奥側の略水平領域と干渉してしまう。操作部が水栓本体と干渉すると、ハンドルの可動域が制約されることになる。
【０００６】
本発明は、上記従来の実情に鑑みてなされたものであって、省スペース化を実現しながらハンドルの可動域を大きく確保することを解決すべき課題としている。
【課題を解決するための手段】
【０００７】
本発明の水栓装置は、
断面形状が略円弧形をなす曲面部と、前記曲面部に連なる略平面部とを有する水栓本体と、
前記曲面部と略同心の揺動軸を中心として揺動可能であり、前記曲面部に沿って揺動変位する操作部を有するハンドルとを備え、
前記操作部は、
前記曲面部及び前記略平面部と対向可能な対向面と、
前記対向面における前記揺動軸と略平行な第１縁部と第２縁部のうち前記曲面部側に位置する第１縁部に連なり、前記揺動軸から遠ざかるように延出した形態の第１操作面と、
前記第１操作面と背中合わせとなるように配された第２操作面と、
前記第２操作面から角度をなして前記揺動軸に近づくように延出し、前記第２縁部に対し角度をなして連なる第３操作面とを有していることを特徴とする。
【発明の効果】
【０００８】
第３操作面に替えて、第２操作面と面一状に連なる仮想操作面を想定し、仮想操作面と、対向面を揺動方向に延長させた仮想縁部とが鋭角に連なる形態とした場合、ハンドルを略平面部側へ揺動させたときに、比較的早期のうちに仮想縁部が略平面部と干渉することになる。これに対し、本願発明の操作部は、第３操作面が、第２操作面から角度をなして揺動軸に近づくように延出し、第２縁部に対し角度をなして連なるので、第２縁部の位置が第１縁部に近くなる。したがって、ハンドルを略平面部側へ揺動させたときに、第２縁部が略平面部と干渉するタイミングが遅くなり、その分、ハンドルの略平面部側への揺動域を大きく確保することができる。このように、本実施例１の水栓装置によれば、省スペース化を実現しながらハンドルの可動域を大きく確保することができる。
【図面の簡単な説明】
【０００９】
【図１】実施例１の水栓装置の斜視図
【図２】水栓装置の分解斜視図
【図３】流路切換用ハンドルが止水位置にある状態をあらわす一部切欠部分拡大側面図
【図４】流路切換用ハンドルがシャワー側へ揺動した状態をあらわす一部切欠部分拡大側面図
【発明を実施するための形態】
【００１０】
本発明の水栓装置は、前記ハンドルが、前記操作部の長さ方向両端部において前記水栓本体に支持されていてもよい。この構成によれば、操作部の長さを十分に確保しながら、ハンドルを安定して支持することができる。
【００１１】
本発明の水栓装置は、前記第３操作面と前記第２操作面が鈍角をなして連なっていてもよい。この構成によれば、第２操作面と第３操作面の両面に指を宛がったときに、第２操作面と第３操作面との境界部が指に食い込むことがないので、操作フィーリングが良好である。
【００１２】
＜実施例１＞
以下、本発明を具体化した実施例１を図１〜図４を参照して説明する。尚、以下の説明において、前後の方向については、図１，２における斜め右下方、及び図３，４における左方を前方と定義する。上下の方向については、図１〜４にあらわれる向きを、そのまま上方、下方と定義する。左右の方向については、図１，２にあらわれる向きを、そのまま左方、右方と定義する。
【００１３】
図２に示すように、本実施例１の水栓装置Ａは、水栓本体１０と、温度調節用ハンドル２８と、流路切換用ハンドル３３（請求項に記載のハンドル）とを備えて構成されている。水栓本体１０は、給水ユニット１１とハウジング１５とを組み付けて構成され、全体として幅寸法に比べて高さ寸法の小さい偏平なブロック状をなす。
【００１４】
給水ユニット１１は、給水用接続部１３と給湯用接続部１４を有するボディ１２と、ボディ１２内に収容された温調用バルブユニット（図示省略）と、ボディ１２内に収容された流路切換用バルブユニット（図示省略）とを備えた周知構造のものである。給水ユニット１１は、給水温度を調節するための温度調節機能と、給水形態を止水、シャワー及びカラン（水栓装置Ａから洗い場や浴槽へ給水するための下向きの吐水口）のいずれかに切り換えるための流路切換機能とを含む給水機能を備えている。
【００１５】
ハウジング１５は、アッパカバー１６とロアカバー１７とリヤカバー１８とを備えて構成され、給水ユニット１１に取り付けられている。給水ユニット１１にハウジング１５を取り付けた状態では、給水ユニット１１の上下両面と左右両側面と前面がハウジング１５で覆われている。アッパカバー１６は、合成樹脂製であり、上板部１９と、前板部２０と、左右一対の側板部２１とを有する単一部品である。上板部１９は、平面視形状が方形をなす平板状の部位である。上板部１９の外面（上面）は、全体として前方に向かって低くなるように僅かに傾斜し、且つ概ね平坦な略平面部２２となっている。
【００１６】
前板部２０は、上板部１９の前端縁から斜め下前方へ弧状に延出した形態であり、前板部２０の側面視形状は略円弧状をなしている。前板部２０の外面（前面）は、略円弧状をなす曲面部２３となっている。略平面部２２は、曲面部２３の上端部に対し接線状に（滑らかに）連なり、曲面部２３から後方へ延出した形態である。左右一対の側板部２１は、上板部１９の左右両側縁から下方へ略直角に延出した形態である。
【００１７】
図１に示すように、アッパカバー１６の上面のうち略平板部と曲面部２３との境界部分には、左右方向に延びたアクセントライン２４が配置されている。アッパカバー１６の上面における左端部には、温度調節用標示２５が配されている。温度調節用標示２５は、アクセントライン２４の左端部によって形成された温度標示２６と、前後一対の温調操作用標示２７とから構成されている。一対の温調操作用標示２７は、給水温度を調節する際の温度調節用ハンドル２８の操作方向を示すものであり、温度標示２６を挟んで奥側に「Ｈ」の文字が表示され、温度標示２６の手前側に「Ｃ」の文字が標示されている。
【００１８】
給水ユニット１１（水栓本体１０）の左端部、即ち温度調節用標示２５の近傍には、円形又は円筒形をなす温度調節用ハンドル２８が取り付けられている。温度調節用ハンドル２８は、給水温度を調節するための操作（給水操作）を行う手段であり、温調用バルブユニットの弁体（図示省略）に一体回転し得るように取り付けられている。温度調節用ハンドル２８は、水栓本体１０に左右方向の回動軸２９を中心として回動操作可能に支持されている。
【００１９】
アッパカバー１６の上面の右端部には、給水形態を止水、シャワー及びカランのいずれかに切り換える際の操作性を高める手段として、流路切換用標示３０が配されている。流路切換用標示３０は、アクセントライン２４の右端部によって形成された止水標示３１と、前後一対の切換操作用標示３２とから構成されている。一対の切換操作用標示３２は、シャワーとカランを切り換える際の流路切換用ハンドル３３（詳細は後述する）の操作方向を示すものであり、止水標示３１を挟んで奥側と手前側とに分かれて配置されている。
【００２０】
シャワーから給水する際には、流路切換用ハンドル３３を上方へ揺動させるのに伴って板状支持部３６の上端部が奥側へ回動するので、止水標示３１より奥側（後方）の略平面部２２には、シャワーを示す図柄が表示されている。カランから給水する際には、流路切換用ハンドル３３を下方へ揺動させるのに伴って板状支持部３６の上端部が手前側へ回動するので、止水標示３１より手前側（前方）の曲面部２３の上端部には、カランを示す図柄が表示されている。
【００２１】
流路切換用ハンドル３３は、給水形態を止水、シャワー及びカランのいずれかに切り換えるための流路切換操作（給水操作）を行う手段である。流路切換用ハンドル３３は、回動軸２９と同軸状の左右方向の揺動軸３４を中心として回動操作し得るように、水栓本体１０（給水ユニット１１）に支持されている。図１，２に示すように、流路切換用ハンドル３３は、全体として左右方向に延びた形状をなす。流路切換用ハンドル３３は、流路切換用ハンドル３３の右端部に位置する連結部３５と、流路切換用ハンドル３３の左端部に位置する嵌合部３９と、操作部４２とを有する。連結部３５と嵌合部３９は操作部４２の両端部に連なっている。
【００２２】
連結部３５は、揺動軸３４と同心の円形をなす板状支持部３６と、板状支持部３６の外周から径方向外方へ延出した右側延出部３７とを備えて構成されている。板状支持部３６の左面には、略円柱形をない連結機能部材３８が同軸状に突出した形態で取り付けられている。嵌合部３９は、揺動軸３４と同心の円形をなすリング状支持部４０と、リング状支持部４０の外周から径方向外方へ延出した左側延出部４１とを備えて構成されている。操作部４２は、全体として左右方向に長い形状をなし、操作部４２の左右両端部は、左側延出部４１の延出端と右側延出部３７の延出端とに連なっている。
【００２３】
流路切換用ハンドル３３を水栓本体１０（給水ユニット１１）に取り付けた状態では、連結機能部材３８が、水栓本体１０の内部に収容され、流路切換用バルブユニットの弁体（図示省略）に一体回転し得るように取り付けられている。板状支持部３６は、水栓本体１０（ハウジング１５）の右側面に重なるように配置されている。リング状支持部４０は、給水ユニット１１のボディ１２の左端部に回転可能に外嵌されている。したがって、流路切換用ハンドル３３は、操作部４２の左右両端部（連結部３５と嵌合部３９）において水栓本体１０に支持され、揺動軸３４を支点として操作部４２が上下方向へ変位するように揺動可能となっている。
【００２４】
本実施例１の水栓装置Ａは、流路切換用ハンドル３３を揺動する際に必要な操作部４２の可動スペースを小さく抑えるために、揺動軸３４からの操作部４２の偏心量を小さくし、操作部４２が、水栓本体１０の外面（曲面部２３と略平面部２２）に接近させた円弧状経路に沿って揺動変位するようにしている。一方、水栓本体１０の給水ユニット１１は、揺動軸３４と同軸状のバルブユニットと、バルブユニットから後方へ突出する給水用接続部１３と給湯用接続部１４を備えている。
【００２５】
そのため、給水ユニット１１を包囲するハウジング１５の外面のうち手前側の前面領域は、バルブユニットの揺動軸３４と同心の円弧形をなす曲面部２３として成形し、ハウジング１５の外面のうち揺動軸３４より奥側の上面領域は、概ね水平な略平面部２２として成形している。ハウジング１５（水栓本体１０）の外面をこのような形状にすると、操作部４２を水栓本体１０の外面に接近させた経路で揺動させたときに、操作部４２が揺動軸３４より奥側の略平面部２２と干渉することが懸念される。この対策として、本実施例１では、操作部４２に形状の工夫を施している。以下、操作部４２の形状を説明する。
【００２６】
操作部４２は、左右方向に細長く延びた形状をなし、揺動軸３４とほぼ平行をなしている。操作部４２し、左右方向において水栓本体１０の全幅に亘る範囲の長さを有する。詳細には、操作部４２は、左右方向両端部から左右方向中央部に向かって水栓本体１０（揺動軸３４）からの距離が大きくなるような形態で僅かに湾曲している。
【００２７】
図３，４の側断面図に示すように、操作部４２の外面は、外縁面４３と、対向面４４、第１操作面４５、第２操作面４６、及び第３操作面４７とを備えて構成されている。これら５つの面４３〜４７は、いずれも、操作部４２と同じく左右方向に細長く延びた形状である。流路切換用ハンドル３３を揺動操作する際には、第１〜第３操作面４５〜４７を指で押したり摘んだりして操作する。
【００２８】
外縁面４３は、平面で構成されている。外縁面４３は、５つの面４３〜４７のなかで揺動軸３４（水栓本体１０の外面）から最も遠い位置に配されている。側面視において、外縁面４３は、流路切換用ハンドル３３の揺動方向に対して傾斜しているとともに、揺動軸３４を中心とする径方向に対しても傾斜している。
【００２９】
対向面４４は、平面又は僅かに湾曲した面で構成され、流路切換用ハンドル３３の揺動範囲の全領域において、水栓本体１０の外面（曲面部２３及び略平面部２２）に対し概ね正対するような位置関係を保つ。つまり、対向面４４は、５つの面４３〜４７のなかで揺動軸３４（水栓本体１０の外面）に最も近い位置に配されている。対向面４４のうち、流路切換用ハンドル３３の揺動方向における２つの縁部のうち曲面部２３側の縁部は、左右方向に延びる第１縁部４８となっており、略平面部２２側の縁部は、左右方向に延びる第２縁部４９となっている。揺動軸３４から第１縁部４８までの距離と、揺動軸３４から第２縁部４９までの距離は、ほぼ同じ寸法である。
【００３０】
第１操作面４５は、外縁面４３と略直角をなす平面で構成されており、第１縁部４８において対向面４４と鈍角をなして連なっている。第１操作面４５は、第１縁部４８から、揺動軸３４との距離を拡大する方向へ延出した形態であり、第１操作面４５の延出端縁（揺動軸３４から遠い側の縁部）は、外縁面４３に連なっている。第１操作面４５は、揺動軸３４を中心とする径方向に対して斜めを向いている。第１操作面４５は、水栓本体１０の外面（曲面部２３と略平面部２２）に対して鋭角をなし、流路切換用ハンドル３３の揺動方向においては曲面部２３側（カラン側への揺動時における操作部４２の変位方向前方）に面している。第１操作面４５を指で押すと、流路切換用ハンドル３３をシャワー側へ揺動させることができる。
【００３１】
第２操作面４６は、第１操作面４５と略平行な平面からなり、流路切換用ハンドル３３の揺動方向において第１操作面４５と背中合わせとなる位置関係である。第２操作面４６は、外縁面４３のうち第１操作面４５とは反対側の縁部に対し略直角に連なっている。第２操作面４６は、第１操作面４５と同様、揺動軸３４を中心とする径方向に対して傾斜しているとともに、対向面４４に対しても斜めをなしている。第２操作面４６は、水栓本体１０の外面（曲面部２３と略平面部２２）に対して鋭角をなし、揺動方向においては略平面部２２側（シャワー側への揺動時における操作部４２の変位方向前方）に面している。第２操作面４６を指で押すと、流路切換用ハンドル３３をカラン側へ揺動させることができる。
【００３２】
第３操作面４７は、平面からなる。第３操作面４７のうち揺動軸３４から遠い側の縁部は、第２操作面４６に対して鈍角をなして連なっている。第３操作面４７は、第２操作面４６から第２縁部４９に向かって揺動軸３４に接近する方向へ延出した形態である。第３操作面４７のうち揺動軸３４に近い側の縁部は、第２縁部４９において対向面４４と鋭角をなして連なっている。換言すると、第３操作面４７は、第２縁部４９から、第２操作面４６に向かって揺動軸３４との距離を拡大する方向へ延出した形態である。第３操作面４７の延出端縁（第２縁部４９とは反対側の端縁）は、第２操作面４６に対し鈍角をなして連なっている。
【００３３】
第３操作面４７は、揺動軸３４を中心とする径方向に対して僅かに斜めを向いている。また、第３操作面４７は、対向面４４、第１操作面４５及び第２操作面４６のいずれに対しても、斜めを向いている。第３操作面４７は、水栓本体１０の外面（曲面部２３と略平面部２２）に対して直角に近い角度をなし、揺動方向においては第２操作面４６と同様、略平面部２２側（シャワー側への揺動時における操作部４２の変位方向前方）に面している。第３操作面４７を指で押すと、流路切換用ハンドル３３をカラン側へ揺動させることができる。
【００３４】
図３に示すように、流路切換用ハンドル３３が止水位置にある状態では、操作部４２が、揺動軸３４とほぼ同じ高さで、且つ揺動軸３４よりも前方の位置に配置され、対向面４４が曲面部２３と対向する。また、第２操作面４６は略平面部２２の前方に並ぶように配されている。略平面部２２を面一状に斜め下前方へ延長した仮想延長平面（図示省略）を想定したとき、第２操作面４６は、仮想延長平面上に位置するような高さ及び向き、若しくは、仮想延長平面と平行をなしている。このような位置関係により、水栓装置Ａは、全体としてデザイン的な統一感があり、高い意匠性を有している。
【００３５】
止水状態からカラン給水に切り換える際には、第２操作面４６と第３操作面４７を下向きに押して操作部４２を下方へ揺動させる。下方への揺動角度が大きくなるほど、カランからの給水量が増大していく。このときの揺動過程では、対向面４４が、常に、揺動軸３４と略同心の円弧形をなす曲面部２３と対向するので、操作部４２が曲面部２３と干渉することはない。
【００３６】
止水状態からシャワー給水に切り換える際には、第１操作面４５を上向きに押し、操作部４２が上方へ揺動するように操作する。上方への揺動角度が大きくなるほど、シャワーからの給水量が増大していく。このときの揺動過程において給水量が最大量に達しない状態では、対向面４４が、常に、揺動軸３４と略同心の円弧形をなす曲面部２３と対向するので、操作部４２が曲面部２３と干渉することはない。給水量が最大量に近づくと、対向面４４が、曲面部２３の上端部から接線状に後方へ延出する略平面部２２の前端部と対向する状態になるが、以下の理由により、対向面４４と略平面部２２が干渉することはない。
【００３７】
本実施例１との比較形として、図３，４に示すように、仮想操作面５１と仮想対向延長面５２を有する仮想操作部５０を想定する。仮想操作面５１は、第３操作面４７の代替操作面であり、第２操作面４６から外縁面４３とは反対側（水栓本体１０の外面に接近する方向）へ面一状に延出している。仮想対向延長面５２は、第２縁部４９から対向面４４を第１縁部４８とは反対側へ延長したものである。仮想対向延長面５２は、対向面４４と同じく水栓本体１０の外面と対向している。仮想操作面５１と仮想対向延長面５２が交わる縁部を、仮想縁部５３とする。
【００３８】
シャワー給水時における操作部４２の揺動方向において、仮想縁部５３と第２縁部４９は、第１縁部４８よりも揺動方向前方に位置するが、第１縁部４８から仮想縁部５３までの周長は、第１縁部４８から第２縁部４９までの周長よりも長い。つまり、シャワー給水時の揺動方向において、仮想縁部５３は、第２縁部４９よりも更に揺動方向前方に位置する。
【００３９】
したがって、シャワーの給水量を増大させたときには、図４に示すように、第２縁部４９よりも仮想縁部５３の方が、先に、略平面部２２と干渉することになる。第２縁部４９が略平面部２２と干渉するときの流路切換用ハンドル３３の揺動角度は、仮想縁部５３が略平面部２２と干渉するときの揺動角度より大きい。したがって、流路切換用ハンドル３３をシャワー側へ揺動させるときには、仮想操作部５０よりも本実施例１の操作部４２の方が可動域が大きいのである。
【００４０】
本実施例１の水栓装置Ａは、水栓本体１０と、流路切換用ハンドル３３とを備えている。水栓本体１０は、断面形状が略円弧形をなす曲面部２３と、前記曲面部２３に連なる略平面部２２とを有する。流路切換用ハンドル３３は、曲面部２３と略同心の揺動軸３４を中心として揺動可能であり、曲面部２３に沿って揺動変位する操作部４２を有している。
【００４１】
操作部４２は、曲面部２３及び略平面部２２と対向可能な対向面４４と、第１操作面４５と、第２操作面４６と、第３操作面４７とを有する。第１操作面４５は、対向面４４における揺動軸３４と略平行な第１縁部４８と第２縁部４９のうち曲面部２３側に位置する第１縁部４８に連なり、揺動軸３４から遠ざかるように延出している。第２操作面４６は、第１操作面４５と背中合わせとなるように配されている。第３操作面４７は、第２操作面４６から角度をなして揺動軸３４に近づくように延出し、第２縁部４９に対し角度をなして連なっている。
【００４２】
もし、第３操作面４７に替えて、第２操作面４６と面一状に連なる仮想操作面５１を想定し、仮想操作面５１と、対向面４４を揺動方向に延長させた仮想縁部５３とが鋭角に連なる形態とした場合、流路切換用ハンドル３３を略平面部２２側へ揺動させたときに、比較的早期のうちに仮想縁部５３が略平面部２２と干渉することになる。これに対し、本実施例１の操作部４２は、第３操作面４７が、第２操作面４６から角度をなして揺動軸３４に近づくように延出し、第２縁部４９に対し角度をなして連なるので、第２縁部４９の位置が第１縁部４８に近くなる。
【００４３】
したがって、流路切換用ハンドル３３を略平面部２２側へ揺動させたときに、第２縁部４９が略平面部２２と干渉するタイミングが遅くなり、その分、流路切換用ハンドル３３の略平面部２２側への揺動域を大きく確保することができる。このように、本実施例１の水栓装置Ａによれば、省スペース化を実現しながら流路切換用ハンドル３３の可動域を大きく確保することができる。
【００４４】
また、流路切換用ハンドル３３は、操作部４２の長さ方向両端部（連結部３５と嵌合部３９）において水栓本体１０に支持されているので、操作部４２の長さを十分に確保しながら、流路切換用ハンドル３３を安定して支持することができる。
【００４５】
また、第３操作面４７と第２操作面４６が鈍角をなして連なっているので、カラン給水の際に第２操作面４６と第３操作面４７の両面に指を宛がって流路切換用ハンドル３３を揺動させたときに、第２操作面４６と第３操作面４７との境界部が指に食い込むことがない。したがって、操作フィーリングが良好である。
【００４６】
＜他の実施例＞
本発明は上記記述及び図面によって説明した実施例に限定されるものではなく、例えば次のような実施例も本発明の技術的範囲に含まれる。
（１）上記実施例では、第３操作面と第２操作面が鈍角をなして連なっているが、第３操作面と第２操作面は鋭角をなして連なっていてもよい。
（２）上記実施例では、第３操作面と対向面が鋭角をなして連なっているが、第３操作面と対向面は、鈍角をなして連なっていてもよい。
（３）上記実施例では、第１操作面と対向面が鈍角をなして連なっているが、第１操作面と対向面は、鋭角をなして連なっていてもよい。
（４）上記実施例では、操作部が水栓本体の全幅に亘る長さを有するが、操作部の長さは、水栓本体の全幅寸法より短い長さであってもよい。
（５）上記実施例では、ハンドルが操作部の両端部において水栓本体に支持されているが、ハンドルは、操作部のいずれか一方の端部のみにおいて水栓本体に支持された形態であってもよい。
（６）上記実施例では、略平面部が水平に近い角度で配されるが、略平面部は鉛直方向を向いていてもよい。
（７）上記実施例では、曲面部が水栓本体の前端部に配されているが、曲面部は、水栓本体の上端部や下端部に配されていてもよい。
【符号の説明】
【００４７】
Ａ…水栓装置
１０…水栓本体
２２…略平面部
２３…曲面部
３３…流路切換用ハンドル（ハンドル）
３４…揺動軸
４２…操作部
４４…対向面
４５…第１操作面
４６…第２操作面
４７…第３操作面
４８…第１縁部
４９…第２縁部
【図１】
2020026616.tif 000003
【図２】
2020026616.tif 000004
【図３】
2020026616.tif 000005
【図４】
2020026616.tif 000006